(57)【要約】      （修正有）【課題】剛性の弱い巾木であってもその一部を簡単な構成で開閉可能とすることが出来、戸袋内部の清掃が容易に出来る引き戸の戸袋構造を提供する。【解決手段】巾木15の一部が開口部22の左右方向の長さに対応して分割され、分割された巾木15ａの大きさに対応する補強材23が該分割された巾木15ａの裏面側に固定され、補強材23の一端部に設けられた突起部24が開口部22を形成する枠体に設けられた凹部21a2に遊動可能に係合して該補強材23がその係合部を中心に回動可能とされ、補強材23の他端部に設けられた係止部材25が開口部22を形成する枠体に設けられた係止部材26に係止し得るように構成され、巾木15ａの表面側に露出した摘み部27を設けて構成した。【選択図】図３
2010150828.tif 000002
【特許請求の範囲】
【請求項１】
敷居材と戸袋パネルの下部との間に、壁と床との取り合いに設けられる巾木の上下方向の長さに対応する高さを有する開口部を形成する枠体が設けられ、
前記巾木の一部が前記開口部の左右方向の長さに対応して分割され、
前記分割された巾木の大きさに対応する補強材が該分割された巾木の裏面側に固定され、
前記補強材の一端部に設けられた突起部が前記開口部を形成する枠体に設けられた凹部に遊動可能に係合して該補強材がその係合部を中心に回動可能とされ、
前記補強材の他端部に設けられた係止部材が前記開口部を形成する枠体に設けられた係止部材に係止し得るように構成されたことを特徴とする引き戸の戸袋構造。
【請求項２】
前記巾木の表面側に露出した摘み部を設けたことを特徴とする請求項１に記載の引き戸の戸袋構造。
【請求項３】
前記摘み部は、
軸部と、該軸部の先端に前記巾木の表面に露出し且つ前記軸部の外径よりも大きい外径を有するヘッド部とを有し、
前記軸部は、該軸部の前記ヘッド部側に前記巾木に埋め込まれる掛かり部に前記ヘッド部を回転させることにより係合する第１の掛かり部と、
前記軸部の前記ヘッド部の反対側に前記第１の掛かり部とは離間された第２の掛かり部と、
が設けられ、
前記巾木に埋め込まれる掛かり部と、前記軸部に設けられた前記第１の掛かり部とが係合しない状態で前記摘み部が引き出された時に該摘み部が前記巾木から抜けないように前記軸部に設けられた前記第２の掛かり部が前記巾木に埋め込まれた掛かり部に係合することを特徴とする請求項２に記載の引き戸の戸袋構造。
【請求項４】
前記摘み部は、
前記巾木を貫通するナット部と、前記ナット部に螺合し得るボルト軸の中間部にボルトネジ部の外径よりも小さい外径の不完全ネジ部を設けたボルトで構成したことを特徴とする請求項２または請求項３に記載の引き戸の戸袋構造。
【請求項５】
前記摘み部は、
前記巾木と前記補強材を貫通するナット部と、該ナット部の外径よりも大きな外径を有して前記補強材の裏面に当接されるフランジ部とを有する埋め込みナット部材の前記ナット部に螺合し得るボルト軸の中間部にボルトネジ部の外径よりも小さい外径の不完全ネジ部を設けたボルトで構成したことを特徴とする請求項２または請求項３に記載の引き戸の戸袋構造。
【請求項６】
前記補強材の一端部に設けられた突起部が遊動可能に係合する凹部を設けた受け材が前記開口部を形成する枠体に対して該枠体の左右方向に移動可能に取り付けられたことを特徴とする請求項１〜５の何れか１項に記載の引き戸の戸袋構造。
【発明の詳細な説明】
【技術分野】
【０００１】
本発明は、引き戸の戸袋構造に関するものである。
【背景技術】
【０００２】
従来、部屋のスペースを有効利用したり、室内意匠を向上するために引き戸を戸袋に収める方法が用いられる。従来の戸袋内部は掃除がし難い構成となっていたため引き戸の下レールに埃がたまり、引き戸がスムーズに開閉出来なくなったり、引き戸がレールから外れて戸袋に接触する可能性もあった。
【０００３】
戸袋内部を掃除する技術としては、以下の特許文献１〜６に提案された各種の技術があり、また、巾木を取り外す技術としては、以下の特許文献７〜１３に記載された各種の技術が提案されている。
【０００４】
【特許文献１】特開平０４−１２５３９６号公報
【特許文献２】特開２００５−１８００１３号公報
【特許文献３】実開平０６−０２５４９１号公報
【特許文献４】特開平０９−０７８９６０号公報
【特許文献５】特開２００１−００３６５９号公報
【特許文献６】特開２００７−０３１９６０号公報
【特許文献７】特開平０１−１９０８５５号公報
【特許文献８】特開平０９−１８９１２２号公報
【特許文献９】実開平０７−０２１８２９号公報
【特許文献１０】特開平０９−０１３５５３号公報
【特許文献１１】特開平０８−６６２６１号公報
【特許文献１２】特開２０００−１９２５８１号公報
【特許文献１３】特開２００５−０５４３７２号公報
【発明の開示】
【発明が解決しようとする課題】
【０００５】
しかしながら、室内用の巾木は一般に厚さが薄く、例えば素材が木材を繊維状にし、熱圧成形した均質な木質材料からなる中密度繊維板（ＭＤＦ；Medium Density Fibreboard）が使用される場合には剛性が弱い。この場合、特許文献１、２の技術では、巾木にビスが止付け難く、マグネットキャッチや蝶番等の部品を巾木に取り付けることが困難となる。例えば、マグネットキャッチ等の部品を巾木に対して小ねじとナットで取り付ける方法も考えられるが、小ねじ頭やナット頭が巾木の表面に露出してしまい体裁が悪くなる。
【０００６】
また、巾木が薄いものであると剛性が小さいので、特許文献３の技術において戸袋下部の開口を幅広く取りたい場合には、着脱可能な幅広な巾木を安定良く納められないという問題がある。
【０００７】
また、特許文献５の技術では、開閉蓋はスライド式やヒンジピン等で構成されているので、機構が複雑となりコスト高になるという問題がある。また、戸袋パネル内を掃除する場合には一部分の巾木を取り外すだけで良く、室内全周の巾木を取り外す必要はない。故に意匠、コスト上、取り外しできる巾木は、取り外し機構を有さない一般用のものと同一にすることが好ましい。取り外し用巾木と一般用の巾木を準備することとなると製品種類が増え、特に巾木の色のバリエーションが多い場合には、在庫等の製品管理が困難となる。
【０００８】
本発明は前記課題を解決するものであり、その目的とするところは、剛性の弱い巾木であってもその一部を簡単な構成で開閉可能とすることが出来、戸袋内部の清掃が容易に出来る引き戸の戸袋構造を提供せんとするものである。
【課題を解決するための手段】
【０００９】
前記目的を達成するための本発明に係る引き戸の戸袋構造の第１の構成は、敷居材と戸袋パネルの下部との間に、壁と床との取り合いに設けられる巾木の上下方向の長さに対応する高さを有する開口部を形成する枠体が設けられ、前記巾木の一部が前記開口部の左右方向の長さに対応して分割され、前記分割された巾木の大きさに対応する補強材が該分割された巾木の裏面側に固定され、前記補強材の一端部に設けられた突起部が前記開口部を形成する枠体に設けられた凹部に遊動可能に係合して該補強材がその係合部を中心に回動可能とされ、前記補強材の他端部に設けられた係止部材が前記開口部を形成する枠体に設けられた係止部材に係止し得るように構成されたことを特徴とする。
【００１０】
また、本発明に係る引き戸の戸袋構造の第２の構成は、前記第１の構成において、前記巾木の表面側に露出した摘み部を設けたことを特徴とする。
【００１１】
また、本発明に係る引き戸の戸袋構造の第３の構成は、前記第２の構成において、前記摘み部は、軸部と、該軸部の先端に前記巾木の表面に露出し且つ前記軸部の外径よりも大きい外径を有するヘッド部とを有し、前記軸部は、該軸部の前記ヘッド部側に前記巾木に埋め込まれる掛かり部に前記ヘッド部を回転させることにより係合する第１の掛かり部と、前記軸部の前記ヘッド部の反対側に前記第１の掛かり部とは離間された第２の掛かり部と、が設けられ、前記巾木に埋め込まれる掛かり部と、前記軸部に設けられた前記第１の掛かり部とが係合しない状態で前記摘み部が引き出された時に該摘み部が前記巾木から抜けないように前記軸部に設けられた前記第２の掛かり部が前記巾木に埋め込まれた掛かり部に係合することを特徴とする。
【００１２】
また、本発明に係る引き戸の戸袋構造の第４の構成は、前記第２、第３の構成において、前記摘み部は、前記巾木を貫通するナット部と、前記ナット部に螺合し得るボルト軸の中間部にボルトネジ部の外径よりも小さい外径の不完全ネジ部を設けたボルトで構成したことを特徴とする。
【００１３】
また、本発明に係る引き戸の戸袋構造の第５の構成は、前記第２、第３の構成において、前記摘み部は、前記巾木と前記補強材を貫通するナット部と、該ナット部の外径よりも大きな外径を有して前記補強材の裏面に当接されるフランジ部とを有する埋め込みナット部材の前記ナット部に螺合し得るボルト軸の中間部にボルトネジ部の外径よりも小さい外径の不完全ネジ部を設けたボルトで構成したことを特徴とする。
【００１４】
また、本発明に係る引き戸の戸袋構造の第６の構成は、前記第１〜第５の構成において、前記補強材の一端部に設けられた突起部が遊動可能に係合する凹部を設けた受け材が前記開口部を形成する枠体に対して該枠体の左右方向に移動可能に取り付けられたことを特徴とする。
【発明の効果】
【００１５】
本発明に係る引き戸の戸袋構造の第１の構成によれば、敷居材と戸袋パネルの下部との間に枠体により形成された開口部の左右方向の長さに対応する巾木の裏面側に補強材が設けられ、巾木を回動可能とする突起部や、巾木を開閉可能とする係止部材を補強材に設けたことで十分な剛性が得られ、剛性の弱い巾木であっても容易に取り外し可能とすることが出来、戸袋内部に掃除機のノズルを挿入して掃除することが出来る。しかも前記開口部の左右方向の長さに対応する巾木は一般の巾木と同じものを工事現場において所望の長さで切断することにより手軽に用意でき、取り外し専用の巾木を特別に用意する必要がなくなり、また、一般の巾木と同じ外観を呈するので意匠上も好ましくなる。
【００１６】
また、本発明に係る引き戸の戸袋構造の第２の構成によれば、巾木の表面に露出した摘み部を摘んで引き出すと巾木を一体的に引っ張て容易に取り外すことが出来る。
【００１７】
また、本発明に係る引き戸の戸袋構造の第３の構成によれば、ヘッド部を回転させて巾木に埋め込まれた掛かり部に軸部に設けた第１の掛かり部を係合することで、摘み部を収容でき、ヘッド部を回転させるだけで軸部に設けた第１の掛かり部が巾木に埋め込まれた掛かり部から外れ、第１の掛かり部と第２の掛かり部との離間距離だけ摘み部を引き出すことが出来、把持し易く、該摘み部を摘んで引き出すと巾木を一体的に引っ張ることが出来る。
【００１８】
また、本発明に係る引き戸の戸袋構造の第４の構成によれば、巾木を貫通して埋め込まれたナット部に不完全ネジ部を有するボルトからなる摘み部が螺合されたことで、ボルトネジ部をナット部に螺合して摘み部を収容でき、摘み部を緩めるように少し回転させるだけでボルトネジ部がナット部の螺合から外れ、不完全ネジ部の長さ分だけ摘み部を引き出すことが出来、把持し易く、該摘み部を摘んで引き出すと巾木を一体的に引っ張ることが出来る。
【００１９】
また、本発明に係る引き戸の戸袋構造の第５の構成によれば、巾木と補強材を貫通して埋め込まれたナット部に不完全ネジ部を有するボルトからなる摘み部が螺合されたことで、ボルトネジ部をナット部に螺合して摘み部を収容でき、摘み部を緩めるように少し回転させるだけでボルトネジ部がナット部の螺合から外れ、不完全ネジ部の長さ分だけ摘み部を引き出すことが出来、把持し易く、該摘み部を摘んで引き出すと巾木と補強材とを一体的に引っ張ることが出来る。特に、巾木と補強材を貫通して埋め込む埋め込みナット部材に補強材の裏面側に当接するフランジ部を有することで、摘み部を摘んで引き出すと該フランジ部により補強材と巾木を一体的に引っ張ることが出来、補強材と巾木との剥離を防止することが出来る。
【００２０】
また、本発明に係る引き戸の戸袋構造の第６の構成によれば、補強材の一端部に設けられた突起部が遊動可能に係合する凹部を設けた受け材が開口部を形成する枠体に対して該枠体の左右方向に移動可能に取り付けられたことで、開口部の左右方向の長さを適宜変更することが出来、住宅の間取り設計に応じて障害なく巾木を容易に取り外し、戸袋内部に掃除機のノズルを挿入して掃除することが出来る。
【発明を実施するための最良の形態】
【００２１】
図により本発明に係る引き戸の戸袋構造の一実施形態を具体的に説明する。図１は本発明に係る引き戸の戸袋構造を示す斜視説明図、図２（ａ）は敷居材と戸袋パネルの下部との間に枠体により形成された開口部の構成を示す正面図、図２（ｂ）は開口部を形成する枠体の構成を示す部分拡大図、図３（ａ）は分割された取り外し自在の巾木の正面図、図３（ｂ）は図１のＥ−Ｅ断面図で、巾木を回動可能とする突起部及び巾木を開閉可能とする係止部材及び摘み部の一例を示す図、図３（ｃ）は摘み部を収納状態から引き出す様子を示す図、図３（ｄ）は補強材の一端部に設けられた突起部を開口部を形成する枠体に設けられた凹部に遊動可能に係合した様子を示す部分拡大図、図４は巾木を開閉可能とする係止部材の着脱の様子を示す図、図５（ａ）は分割された取り外し自在の巾木の他の構成を示す正面図、図５（ｂ）は図１のＥ−Ｅ断面図で、巾木を回動可能とする突起部及び巾木を開閉可能とする係止部材及び摘み部の他の一例を示す図、図５（ｃ）は摘み部を収納状態から引き出す様子を示す図、図５（ｄ）は補強材の一端部に設けられた突起部を開口部を形成する枠体に設けられた凹部に遊動可能に係合した様子を示す部分拡大図、図６は補強材に巾木を回動可能とする突起部及び巾木を開閉可能とする係止部材を取り付けた様子を示す斜視図、図７（ａ）〜（ｄ）は補強材に巾木を回動可能とする突起部及び巾木を開閉可能とする係止部材を取り付けた様子を示す平面図、正面図及び左右側面図、図７（ｅ）は補強材に設けられたビス止部を示す図、図８は巾木を開閉可能とする係止部材を固定する受け金具に設けた長穴により該係止部材を前後調整可能とした様子を示す図、図９及び図10は戸袋パネルの一例を示す正面図及び断面図、図11（ａ）は図１のＥ−Ｅ断面図で、巾木を回動可能とする突起部を枠体に取り付けられた受け材の凹部に遊動可能に係止した様子を示す図、図11（ｂ）は開口部を形成する枠体の左右方向に移動可能に取り付けられる受け材の構成を示す図である。
【００２２】
図１〜図８において、敷居材４と戸袋パネル１の下部との間に枠体21が設けられ、該枠体21により壁となる石膏ボード８と床材16との取り合いに設けられる巾木15の上下方向の長さに対応する高さを有する開口部22が形成される。このような高さを有する開口部22であれば掃除機のノズルを挿入して容易に掃除することが出来る。
【００２３】
本実施形態の枠体21は、図２に示すように、断面コ字形状で形成された下枠21ａと、断面コ字形状で形成された取付金具21ｂとを有して構成され、金属製の戸袋パネル１の断面Ｌ字形状に折曲された下端部１ｂに下枠21ａがビス13により固定され、敷居材４に取付金具21ｂがビス13により固定され、更に下枠21ａの両端部の起立片21a1が取付金具21ｂ及び柱材５にビス13により固定される。そして、取付金具21ｂと下枠21ａと敷居材４との間に掃除用の開口部22が形成される。
【００２４】
一方、図１に示すように、巾木15の一部が開口部22の左右方向の長さに対応して分割され、この分割された巾木15ａの大きさに対応するアルミニウム板、アルミ押出形材、或いは鋼板等により構成される補強材23が該分割された巾木15ａの裏面側に両面接着テープ11により固定される。尚、本実施形態では分割された巾木15ａを両面接着テープ11により補強材23に固定する構成としたが他の種々の取付方法でも良い。
【００２５】
開口部22の左右方向の長さに対応して分割された巾木15ａは一般の巾木15と同じものを工事現場において所望の長さで切断することにより手軽に用意でき、取り外し専用の巾木15ａを特別に用意する必要がなく、一般の巾木15と同じ外観を呈するので意匠上も好ましい。
【００２６】
補強材23の柱材５側の一端部には、図３或いは図５に示すような突起部24が設けられており、該突起部24が開口部22を形成する枠体21の下枠21ａの起立片21a1に設けられた凹部21a2に遊動可能に係合して該補強材23がその係合部を中心に回動可能に構成されている。
【００２７】
また、補強材23の柱材５と反対側の開口側の他端部にはローラキャッチに勘合する金具からなる係止部材25が設けられており、開口部22を形成する枠体21の取付金具21ｂに設けられたローラキャッチからなる係止部材26に係止し得るように構成されている。尚、本実施形態では、ローラキャッチを用いた係止部材25，26としたが、マグネットキャッチや他の種々の係止部材を適用することが出来る。
【００２８】
一方、分割された巾木15ａの表面側にはヘッド部となるボルト頭部27ｂからなる摘み部27が露出して設けられている。本実施形態の摘み部27は、図３に示すように、分割された巾木15ａと補強材23を貫通して埋め込まれる掛かり部となるナット部28ａと、該ナット部28ａの外径よりも大きな外径を有して補強材23の裏面に当接されるフランジ部28ｂとを有する埋め込みナット部材28の前記ナット部28ａに螺合し得る軸部となるボルト軸27ａの中間部にボルトネジ部27a1の外径よりも小さい外径を有する不完全ネジ部27a2を設けたボルトで構成している。埋め込みナット部材28のナット部28ａは補強材23と巾木15ａに穿設した貫通孔に打ち込むことで埋設される。
【００２９】
摘み部27をこのように構成したことによりヘッド部となるボルト頭部27ｂ近傍の第１の掛かり部となるボルトネジ部27a1を埋め込みナット部材28の掛かり部となるナット部28ａに螺合締結することで摘み部27を分割された巾木15ａの表面に当接して収納でき、ボルト頭部27ｂの溝にコインやドライバー等を挿入して回転させ、ボルト頭部27ｂ近傍のボルトネジ部27a1が埋め込みナット部材28のナット部28ａから脱離すると、不完全ネジ部27a2の長さだけボルト頭部27ｂが巾木15ａの表面から突出して指で摘むことが出来、これを引き出すことで、ローラキャッチに勘合する金具からなる係止部材25がローラキャッチからなる係止部材26による係止から脱離され、補強材23の柱材５側の一端部に設けた突起部24と遊動可能に係合される枠体21の下枠21ａの起立片21a1に設けられた凹部21a2との係合部を中心に補強材23と巾木15ａとを一体的に回動させて該補強材23と巾木15ａとを一体的に取り外し、取付金具21ｂと下枠21ａと敷居材４との間に形成された掃除用の開口部22を露出させて戸袋内部を清掃することが出来る。
【００３０】
上記構成によれば、巾木15ａと補強材23とを貫通して埋め込まれたナット部28ａに不完全ネジ部27a2を有するボルトからなる摘み部27が螺合されたことで、ボルトネジ部27a1をナット部28ａに螺合して摘み部27を収容でき、該摘み部27を回してボルトネジ部27a1をナット部28ａの螺合から外せば、不完全ネジ部27a2の長さ分だけ摘み部27を引き出すことが出来、把持し易く、該摘み部27を摘んで引き出すと巾木15ａと補強材23とを一体的に引っ張ることが出来る。特に、巾木15ａと補強材23とを貫通して埋め込む埋め込みナット部材28に補強材23の裏面側に当接するフランジ部28ｂを有することで、摘み部27を摘んで引き出すと該フランジ部28ｂにより補強材23と巾木15ａとを一体的に引っ張ることが出来、補強材23と巾木15ａとの剥離を防止することが出来る。
【００３１】
図５は埋め込みナット部材28のフランジ部28ｂを省略した構成であり、本実施形態の摘み部27は、分割された巾木15ａを貫通するナット部28ａと、該ナット部28ａに螺合し得るボルト軸27ａの中間部にボルトネジ部27a1の外径よりも小さい外径の不完全ネジ部27a2を設けたボルトで構成したものである。
【００３２】
このような構成でも同様な摘み部27として利用することが出来、巾木15ａを貫通して埋め込まれたナット部28ａに不完全ネジ部27a2を有するボルトからなる摘み部27が螺合されたことで、ボルトネジ部27a1をナット部28ａに螺合して摘み部27を収容でき、該摘み部27を回してボルトネジ部27a1をナット部28ａの螺合から外せば、不完全ネジ部27a2の長さ分だけ摘み部27を引き出すことが出来、把持し易く、該摘み部27を摘んで引き出すと巾木15ａを一体的に引っ張ることが出来る。
【００３３】
上記構成によれば、敷居材４と戸袋パネル１の下部との間に枠体21により形成された開口部22に対応する分割された巾木15ａの裏面側に補強材23が設けられ、該巾木15ａを回動可能とする突起部24や、該巾木15ａを開閉可能とする係止部材25を補強材23に設けたことで十分な剛性が得られ、剛性の弱い巾木15ａであっても容易に取り外し可能とすることが出来、しかも幅広の開口部22であっても対応することが出来る。
【００３４】
即ち、摘み部27は、軸部となるボルト軸27ａと、該軸部の先端に巾木15ａの表面に露出し且つ軸部の外径よりも大きい外径を有するヘッド部となるボルト頭部27ｂとを有し、軸部は、該軸部のヘッド部側に巾木15ａに埋め込まれる掛かり部となるナット部28ａにヘッド部を回転させることにより係合する第１の掛かり部となるボルト頭部27ｂ側のボルトネジ部27a1と、軸部のヘッド部の反対側に第１の掛かり部とは離間された第２の掛かり部となる先端側のボルトネジ部27a1と、が設けられ、巾木15ａに埋め込まれる掛かり部となるナット部28ａと、軸部に設けられた第１の掛かり部とが係合しない状態で摘み部27が引き出された時に該摘み部27が巾木15ａから抜けないように軸部に設けられた第２の掛かり部となる先端側のボルトネジ部27a1が巾木15ａに埋め込まれた掛かり部となるナット部28ａに係合するものである。
【００３５】
上記構成によれば、ヘッド部を回転させて巾木15ａに埋め込まれた掛かり部に軸部に設けた第１の掛かり部を係合することで、摘み部27を収容でき、ヘッド部を回転させるだけで軸部に設けた第１の掛かり部が巾木15ａに埋め込まれた掛かり部から外れ、第１の掛かり部と第２の掛かり部との離間距離だけ摘み部27を引き出すことが出来、把持し易く、該摘み部27を摘んで引き出すと巾木15ａを一体的に引っ張ることが出来るものである。
【００３６】
図６〜図８に示すように、補強材23の両端部には上下一対のビス止め部23ａが設けられており、ローラキャッチに勘合する金具からなる係止部材25が断面Ｌ字形状の受け金具29の一片29ａに固定されている。受け金具29の他片29ｂには長穴29ｃが設けられており、該長穴29ｃにタッピングビス30を挿通してビス止め部23ａに締結することにより補強材23の端部にローラキャッチに勘合する金具からなる係止部材25を取り付けることが出来、該係止部材25の前後の取り付け位置は長穴29ｃにより調整可能とされる。
【００３７】
他方、補強材23の他端部に設けられる突起部24は断面Ｌ字形状の固定部の一片24ａに一体的に設けられており、該固定部の他片24ｂには長穴24ｃが設けられており、該長穴24ｃにタッピングビス30を挿通してビス止め部23ａに締結することにより補強材23の他端部に突起部24を取り付けることが出来、該突起部24の前後の取り付け位置は長穴24ｃにより調整可能とされる。
【００３８】
本実施形態の戸袋パネル１としては、図９及び図10に示すように、鴨居材３及び敷居材４に取り付けられる金属製の戸袋パネル１の上端部１ａ及び下端部１ｂが断面Ｌ字形状に折曲して形成され、柱材５に取り付けられる金属製の戸袋パネル１の一方の縦端部１ｃが断面コ字形状に折曲して形成される。また、柱材５と反対側の開口側に配置される金属製の戸袋パネル１の他方の縦端部１ｄは平板状のパネル面とされ、その平板面に木製の縦材６が両面接着テープ11とビス13を併用して取り付けられている。
【００３９】
本実施形態の戸袋パネル１は厚さ０．４mm程度の薄い鋼板製の面材をプレス加工により折曲して製作したものであり、上下寸法及び幅寸法は高い精度が得られる。また、木製の縦材６の一端部には金属製の断面コ字形状の補強材17が嵌合されてビス13により固定されている。
【００４０】
戸袋パネル１の左右方向の中間部には、該戸袋パネル１面に当接して取り付ける取付片７ａと、該取付片７ａに対して起立した起立片７ｂと、該起立片７ｂに接続され且つ表面材となる石膏ボード８を取り付ける水平片７ｃとを有する金属製の縦材７が設けれる。縦材７の取付片７ａは戸袋パネル１面に対して両面接着テープ11により固定される。
【００４１】
金属製の縦材７の取付片７ａの表面に両面接着テープ11を貼着して戸袋パネル１面に取り付ける際に、両面接着テープ11の粘着面が露出した状態で縦材７を斜めに入れ込んで向きを変える作業が困難となることから、戸袋パネル１の上端部１ａ及び下端部１ｂを断面Ｌ字形状に折曲して形成したことで、縦材７を戸袋パネル１面の正面から入れ込むことが容易に出来る。尚、両面接着テープ11とビス13を併用して固定することでも良い。この場合、ビス13の数を少なくすることが出来る。本実施形態では縦材７の上下端部のみをビス13により固定したものである。
【００４２】
本実施形態の金属製の縦材７は断面ロ字形状（角筒状）で形成された一例であるが、戸袋パネル１面に当接して取り付ける取付片７ａと、該取付片７ａに対して起立した起立片７ｂと、該起立片７ｂに接続され且つ表面材となる石膏ボード８を取り付ける水平片７ｃとを有する形状であれば良く、例えば、断面コ字形状や断面ハット型形状や断面Ｈ型形状や断面Ｚ型形状等種々の形状のものが適用出来る。
【００４３】
本実施形態の戸袋パネル１は、金属製であり、上端部１ａ及び下端部１ｂが断面Ｌ字形状に折曲して形成され、柱材５に取り付けられる側の一方の縦端部１ｃが断面コ字形状に折曲して形成され、更に左右方向の中間部に金属製の縦材７を設けたことで、大きな剛性が得られ、ベニヤ板等を用いる場合と比較して経年変化による反りなどの発生が減少する。
【００４４】
戸袋パネル１の上端部１ａ及び柱材５側の一方の縦端部１ｃはビス13により鴨居材３及び柱材５にそれぞれ固定され、戸袋パネル１の下端部１ｂは枠体21の下枠21ａにビス13により固定される。そして、表面材となる石膏ボード８を金属製の縦材７の水平片７ｃ、木製の縦材６及び柱材５に当接してビス13により固定する。柱材５と反対側の開口側には額縁14が取り付けられ、壁となる石膏ボード８と床材16との取り合いには巾木15が取り付けられ、その巾木15の開口部22に対応する一部が分割された巾木15ａが補強材23の表面に両面接着テープ11により固定される。
【００４５】
図４（ａ）に示すように、枠体21を敷居材４に取り付けた後、補強材23の柱材５側の一端部に設けた突起部24を、枠体21の下枠21ａの起立片21a1に設けられた凹部21a2に嵌合させて遊動可能に係合し、更に補強材23の柱材５と反対の開口側に設けたローラキャッチ取り付けアングルからなる係止部材25を枠体21の取付金具21ｂに設けたローラキャッチからなる係止部材26に係止させた状態で、補強材23の表面に両面接着テープ11により分割された巾木15ａを接着固定する。
【００４６】
図11（ａ），（ｂ）は戸袋の一部に壁や固定物31が設けられ、戸袋パネル１の左右方向の幅よりも短い幅で開口部22を構成したものである。本実施形態では、戸袋パネル１の左右方向の幅よりも短い長さで構成された補強材23の一端部に設けられた突起部24が遊動可能に係合する凹部32ａを設けた断面コ字形状の受け材32が開口部22を形成する枠体21に対して該枠体21の左右方向に移動可能に取り付けられている。
【００４７】
受け材32は実際の施工現場で必要な開口部22の左右方向の長さに応じて枠体21の下枠21ａにビス止めすることも出来る。本実施形態では枠体21の下枠21ａに該枠体21の略全長に対応するスライド穴21a3が形成されており、該スライド穴21a3に対応して戸袋パネル１の縦材７を回避した下端部１ｂにもスライド穴1b1が設けられている。一方、受け材32の水平片32ｂにはボルト部材32b1が突出して設けられており、開口部22側からボルト部材32b1を枠体21のスライド穴21a3及び戸袋パネル１の下端部１ｂに設けたスライド穴1b1に挿通し、ナット33を螺合締結することで、実際の施工現場で必要な開口部22の左右方向の長さに応じて受け材32を固定することが出来る。
【００４８】
このように、受け材32の水平片32ｂに突出したボルト部材32b1を枠体21のスライド穴21a3及び戸袋パネル１の下端部１ｂに設けたスライド穴1b1に沿って左右方向に移動することで受け材32を開口部22を形成する枠体21に対して該枠体21の左右方向に移動可能に取り付けられる。
【００４９】
一方、補強材23及び巾木15ａは現場で所望の長さに切断することが出来、図７に示すように、ローラキャッチ取り付けアングルからなる係止部材25を取り付けた受け金具29と、突起部24とは所望の長さに切断された補強材23の両端部でそれぞれビス止め部23ａを介してタッピングビス30により固定することが出来る。
【００５０】
上記構成によれば、補強材23の一端部に設けられた突起部24が遊動可能に係合する凹部32ａを設けた受け材32が開口部22を形成する枠体21に対して該枠体21の左右方向に移動可能に取り付けられたことで、開口部22の左右方向の長さを適宜変更することが出来、戸袋の周辺に壁や固定物31等が設けられる等の住宅の間取り設計に応じて障害なく巾木15ａを容易に取り外し、戸袋内部に掃除機のノズルを挿入して掃除することが出来る。
【産業上の利用可能性】
【００５１】
本発明の活用例として、引き戸の戸袋構造に適用出来る。
【図面の簡単な説明】
【００５２】
【図１】本発明に係る引き戸の戸袋構造を示す斜視説明図である。
【図２】（ａ）は敷居材と戸袋パネルの下部との間に枠体により形成された開口部の構成を示す正面図、（ｂ）は開口部を形成する枠体の構成を示す部分拡大図である。
【図３】（ａ）は分割された取り外し自在の巾木の正面図、（ｂ）は図１のＥ−Ｅ断面図で、巾木を回動可能とする突起部及び巾木を開閉可能とする係止部材及び摘み部の一例を示す図、（ｃ）は摘み部を収納状態から引き出す様子を示す図、（ｄ）は補強材の一端部に設けられた突起部を開口部を形成する枠体に設けられた凹部に遊動可能に係合した様子を示す部分拡大図である。
【図４】巾木を開閉可能とする係止部材の着脱の様子を示す図である。
【図５】（ａ）は分割された取り外し自在の巾木の他の構成を示す正面図、（ｂ）は図１のＥ−Ｅ断面図で、巾木を回動可能とする突起部及び巾木を開閉可能とする係止部材及び摘み部の他の一例を示す図、（ｃ）は摘み部を収納状態から引き出す様子を示す図、（ｄ）は補強材の一端部に設けられた突起部を開口部を形成する枠体に設けられた凹部に遊動可能に係合した様子を示す部分拡大図である。
【図６】補強材に巾木を回動可能とする突起部及び巾木を開閉可能とする係止部材を取り付けた様子を示す斜視図である。
【図７】（ａ）〜（ｄ）は補強材に巾木を回動可能とする突起部及び巾木を開閉可能とする係止部材を取り付けた様子を示す平面図、正面図及び左右側面図、（ｅ）は補強材に設けられたビス止部を示す図である。
【図８】巾木を開閉可能とする係止部材を固定する受け金具に設けた長穴により該係止部材を前後調整可能とした様子を示す図である。
【図９】戸袋パネルの一例を示す正面図である。
【図１０】戸袋パネルの一例を示す断面図である。
【図１１】（ａ）は図１のＥ−Ｅ断面図で、巾木を回動可能とする突起部を枠体に取り付けられた受け材の凹部に遊動可能に係止した様子を示す図、（ｂ）は開口部を形成する枠体の左右方向に移動可能に取り付けられる受け材の構成を示す図である。
【符号の説明】
【００５３】
１    …戸袋パネル
１ａ  …上端部
１ｂ  …下端部
1b1   …スライド穴
１ｃ  …縦端部
１ｄ  …縦端部
２    …引き戸
３    …鴨居材
４    …敷居材
５    …柱材
６    …縦材
７    …縦材
７ａ  …取付片
７ｂ  …起立片
７ｃ  …水平片
８    …石膏ボード
11    …両面テープ
12    …枠材
12ａ  …突出部
12ｂ  …水平片
12ｃ  …水平片
13    …ビス
14    …額縁
15    …巾木
15ａ  …分割巾木
16    …床材
17    …補強材
21    …枠体
21ａ  …下枠
21a1  …起立片
21a2  …凹部
21a3  …スライド穴
21ｂ  …取付金具
22    …開口部
23    …補強材
23ａ  …ビス止め部
24    …突起部
24ａ  …一片
24ｂ  …他片
24ｃ  …長穴
25    …係止部材
26    …係止部材
27    …摘み部
27ａ  …ボルト軸
27a1  …ボルトネジ部
27a2  …不完全ネジ部
27ｂ  …ボルト頭部
28    …埋め込みナット部材
28ａ  …ナット部
28ｂ  …フランジ部
29    …受け金具
29ａ  …一片
29ｂ  …他片
29ｃ  …長穴
30    …タッピングビス
31    …壁や固定物
32    …受け材
32b1  …ボルト部材
32ａ  …凹部
32ｂ  …水平片
33    …ナット
【図１】
2010150828.tif 000003
【図２】
2010150828.tif 000004
【図３】
2010150828.tif 000005
【図４】
2010150828.tif 000006
【図５】
2010150828.tif 000007
【図６】
2010150828.tif 000008
【図７】
2010150828.tif 000009
【図８】
2010150828.tif 000010
【図９】
2010150828.tif 000011
【図１０】
2010150828.tif 000012
【図１１】
2010150828.tif 000013